(57)【要約】      （修正有）【課題】  記録メディアなどに記録してあるデータを縦覧・検索するときの視認性や操作性を向上させた撮像装置を提供する。【解決手段】  撮像装置において，特定の設定（ブラケット撮影等）が設定されている時に，撮影した画像データとこの画像データを基に生成したサムネイル画像に同一の設定であると判別できる識別子情報を付加して記録する。識別子情報に基づいてサムネイル画像を読み出す時に，同一設定であると判定できる識別子情報が付加されているサムネイル画像が存在する場合は，その中から代表となるサムネイル画像を選択し，更に代表となるサムネイル画像だけに所定のグラフィック処理を施して，他のサムネイル画像と共にサムネイル一覧画面データを生成して画面表示を行う。【選択図】  図５
2005167469.tif 000002
【特許請求の範囲】
【請求項１】
撮像手段を介して取り込んだ画像データをもとに作成される縮小画像データであるサムネイルを生成することができるサムネイル生成手段と、
前記画像データと前記サムネイル生成手段で生成されるサムネイルを関連付けするために付加する識別子情報の設定を行う識別子設定手段と、
前記識別子設定手段により設定される識別子情報を前記画像データ及び前記サムネイル生成手段で生成したサムネイルに対して付加するとき、装置の設定情報に基づいて、特定の設定情報が設定されているときに取り込んだ前記画像データ及び前記サムネイルに同一設定であると判定できる識別子情報を付加することができる識別子付加手段と、
前記識別子が付加された前記画像データ及び前記サムネイルを記録媒体に記録することができるデータ記録手段と、
前記記録媒体から前記サムネイルを読み出すとき、前記同一設定であると判定できる識別子情報が付加されているサムネイルの中から所定の条件に基づいたサムネイルだけを選択して読み出すことができるデータ読み出し手段と、
前記データ読み出し手段で読み出した所定数のサムネイルからサムネイル一覧画面データを生成して画面表示することができる画面表示手段と、
を備えていることを特徴とする撮像装置。
【請求項２】
前記画面表示手段は、前記データ読み出し手段で選択して読み出したサムネイルだけに所定のグラフィック処理を施してサムネイル一覧画面データを生成すること
を特徴とする請求項１に記載の撮像装置。
【請求項３】
前記識別子付加手段は、前記特定の設定情報として、連続撮影機能又はオートブラケット機能が設定されているときに取り込んだ前記画像データ及び前記サムネイルに対して前記同一設定であると判定できる識別子情報を付加すること
を特徴とする請求項１に記載の撮像装置。
【請求項４】
前記識別子付加手段は、前記特定の設定情報として、所定の撮影条件に応じて定めてある撮影モード情報のうち、特定の撮影モード情報が設定されているときに取り込んだ前記画像データ及び前記サムネイルに対して前記同一設定であると判定できる識別子情報を付加すること
を特徴とする請求項１に記載の撮像装置。
【請求項５】
前記識別子付加手段は、前記特定の設定情報として、特定の操作スイッチを指定した情報が設定されているとき、該特定の操作スイッチをオンしてからオフするまでの間に取り込んだ前記画像データ及び前記サムネイルに対して前記同一設定であると判定できる識別子情報を付加すること
を特徴とする請求項１に記載の撮像装置。
【発明の詳細な説明】
【技術分野】
【０００１】
本発明は、撮像装置に関するものである。詳細は、記録メディアなどに記録してあるデータの縦覧・検索時の操作性を向上させた撮像装置に関するものである。
【背景技術】
【０００２】
従来技術において、静止画像のほかに、動画を撮影したり、音声を記録する機能を備えた撮像装置や、シャッターボタンを１回操作するだけで、画像を連続して撮影することができる連続撮影機能や露出値を変化させて連続撮影するオートブラケット機能など、様々な機能を具備している撮像装置が存在する。
【０００３】
上述したような撮像装置では、撮影した画像などのデータがメモリカードなどの記録メディアに順次記録されてゆき、記録メディアに記録してあるデータを縦覧・検索するときには、各データにもとにして生成される縮小画像データ（以下、サムネイル）が一覧表示され、このサムネイルの中から所望のサムネイルを選択すると、記録メディアから選択したサムネイルに対応したデータが読み出され、再生・表示されるようになっている。
【０００４】
しかしながら、記録メディアに記録するデータの数が増えてくると、データを縦覧したり検索するときの処理が繁雑になり、また、連続撮影機能やオートブラケット機能を用いて連続撮影された画像データなどを記録するときには、撮影順序などの情報を記憶・管理しておくことが必要となるため、記録メディアに記録するデータの分類・処理などの方法が種々考案されている。
【０００５】
例えば、画像データを、組に属することを示す文字（ＳＴ）と、各組の中で順番に付けた英字文字と、撮影順のファイル番号を示す文字とから構成したファイル名で記録することにより、画像データの属している組、データ生成、保存の順番などをファイル名だけから判断できるようすることで、連続撮影された複数の画像データの整理、処理を迅速に行うことができる装置などが考案されている（例えば、特許文献１参照）。
【特許文献１】特開平１１−２６１９３７号公報（第６−７頁、図３−５）
【発明の開示】
【発明が解決しようとする課題】
【０００６】
しかしながら、上述したような撮像装置によって記録メディアに記録してある画像データなどを縦覧・検索する場合、例えば、データを記録したときの日時情報、ファイル名やファイル番号など、所定の順序に従って読み出されたサムネイルの一覧画面が順次表示されるが、画面に一覧表示できるサムネイルの数は決まっているので、データが多くなると、画面切り替えの操作回数が増えてしまうという問題がある。
【０００７】
また、連続撮影された画像データや装置の電源をオンからオフにするまでに撮影した画像データなどは、一般的に類似性が高いため、一覧画面に表示する必要性が低く、又、サムネイルで一覧表示すると判別しにくいことが多いので、このようなサムネイルまですべて画面表示してしまうと視認性も低下し、データの縦覧・検索時の操作性が更に悪くなってしまう。
【０００８】
従って、撮像装置により記録メディアなどに記録してあるデータを縦覧・検索するときの視認性や操作性を向上させることに解決しなければならない課題を有する。
【課題を解決するための手段】
【０００９】
前記課題を解決するため、本発明に係る撮像装置は次のような構成にすることである。
【００１０】
（１）撮像手段を介して取り込んだ画像データをもとに作成される縮小画像データであるサムネイルを生成することができるサムネイル生成手段と、前記画像データと前記サムネイル生成手段で生成されるサムネイルを関連付けするために付加する識別子情報の設定を行う識別子設定手段と、前記識別子設定手段により設定される識別子情報を前記画像データ及び前記サムネイル生成手段で生成したサムネイルに対して付加するとき、装置の設定情報に基づいて、特定の設定情報が設定されているときに取り込んだ前記画像データ及び前記サムネイルに同一設定であると判定できる識別子情報を付加することができる識別子付加手段と、前記識別子が付加された前記画像データ及び前記サムネイルを記録媒体に記録することができるデータ記録手段と、前記記録媒体から前記サムネイルを読み出すとき、前記同一設定であると判定できる識別子情報が付加されているサムネイルの中から所定の条件に基づいたサムネイルだけを選択して読み出すことができるデータ読み出し手段と、前記データ読み出し手段で読み出した所定数のサムネイルからサムネイル一覧画面データを生成して画面表示することができる画面表示手段と、を備えていることを特徴とする撮像装置。
（２）前記画面表示手段は、前記データ読み出し手段で選択して読み出したサムネイルだけに所定のグラフィック処理を施してサムネイル一覧画面データを生成することを特徴とする（１）に記載の撮像装置。
（３）前記識別子付加手段は、前記特定の設定情報として、連続撮影機能又はオートブラケット機能が設定されているときに取り込んだ前記画像データ及び前記サムネイルに対して前記同一設定であると判定できる識別子情報を付加することを特徴とする（１）に記載の撮像装置。
（４）前記識別子付加手段は、前記特定の設定情報として、所定の撮影条件に応じて定めてある撮影モード情報のうち、特定の撮影モード情報が設定されているときに取り込んだ前記画像データ及び前記サムネイルに対して前記同一設定であると判定できる識別子情報を付加することを特徴とする（１）に記載の撮像装置。
（５）前記識別子付加手段は、前記特定の設定情報として、特定の操作スイッチを指定した情報が設定されているとき、該特定の操作スイッチをオンしてからオフするまでの間に取り込んだ前記画像データ及び前記サムネイルに対して前記同一設定であると判定できる識別子情報を付加することを特徴とする（１）に記載の撮像装置。
【００１１】
このような構成の撮像装置において、識別子付加手段が画像データ及びサムネイルに識別子情報を付加するとき、装置の設定情報に基づいて、特定の設定情報が設定されているときに取り込んだ画像データとこの画像データをもとに生成したサムネイルに同一設定であると判定できる識別子情報を付加して記録媒体に記録する。
【００１２】
そして、データ読み出し手段が識別子情報に基づいてサムネイルを読み出すときに、同一設定であると判定できる識別子情報が付加されているサムネイルが存在する場合、その中から所定の条件に基づいたサムネイルだけを選択して読み出し、更に、画面表示手段がデータ読み出し手段で選択して読み出したサムネイルだけに所定のグラフィック処理を施してサムネイル一覧画面データを生成して画面表示することにより、特定の設定情報が設定されているときに撮影された画像データをもとに生成されたサムネイルの中から、代表となるサムネイルだけがサムネイル一覧画面に表示されるので、記録媒体に記録されたデータを縦覧・検索するときのサムネイル一覧画面の視認性や操作性が向上する。
【発明の効果】
【００１３】
本発明の撮像装置では、例えば、連続撮影機能やオートブラケット機能によって連続撮影するとき、所望の撮影モードが設定されているとき、又は、装置の電源スイッチなど特定のスイッチがオンからオフにするまでの間など、特定の設定情報が設定されているときや特定の操作が実行されたときに取り込んだ画像データとこの画像データをもとに生成されるサムネイルに対して、同一設定のときに取り込んだことが判定できる識別子情報、例えば、同一のＩＤ番号を付加して記録メディアに記録することができる。
【００１４】
そして、撮像装置で記録メディアのデータを縦覧・検索するとき、同一設定であると判定できる識別子情報が付加されているサムネイルが存在する場合、その中から代表となるサムネイルだけを読み出し、このサムネイルにグラフィック処理を施してサムネイル一覧画面を生成して画面表示することによって、特定の設定情報が設定されている間に撮影された画像データを１つのサムネイルが代表して表示する。
【００１５】
例えば、連続撮影した画像データなどのサムネイルのように、類似性が高く、判別しにくいサムネイルなどが１つのサムネイルで表示され、更に、連続撮影した別の画像データと関連のあることが視認できるように所定のグラフィック処理を施して表示することで、すべてのサムネイルが表示されずにサムネイル一覧画面の視認性が向上し、また、画面切り替え操作の回数も低減され、データの縦覧・検索を効率よく行うことできるという優れた効果を得ることができる。
【発明を実施するための最良の形態】
【００１６】
次に、本発明の撮像装置による実施の形態について図面を参照して説明する。但し、図面は専ら解説のためのものであって、本発明の技術的範囲を限定するものではない。
【実施例】
【００１７】
図１は、１回のシャッターボタン操作により連続して画像を撮影することができる連続撮影機能や、１回のシャッターボタン操作で露出値を変化させた複数の画像を連続撮影することができるオートブラケット機能などを備えた撮像装置の内部構成を簡略化して示したブロック図であり、撮像部１１０、信号処理部１２０、表示部１３０、ＣＰＵ（Central Processing Unit）１４０、メモリ部１５０、操作部１６０、音声出力部１７０、メディアドライブ１８０などから構成されている。
【００１８】
撮像部１１０は、撮像レンズ１１１、撮像素子１１２、カメラ部１１３などを備えており、ＣＰＵ１４０の制御信号に従い、撮像レンズ１１１を介して撮影した画像（光信号）を撮像素子１１２で電気信号に変換し、更に、カメラ部１１３によって変換した電気信号をデジタル信号に変換して信号処理部１２０に送出する。
【００１９】
また、撮像部１１０は、連続撮影機能やオートブラケット機能がオンであるとき、所定の操作スイッチ１６２（シャッターボタン）を１回操作すると、所定の時間間隔で画像を連続撮影したり、露出値を変化させた複数の画像を連続撮影し、連続撮影した各画像を順次デジタル信号に変換して信号処理部１２０に送出する。
【００２０】
信号処理部１２０は、ＣＰＵ１４０の制御信号に従い、撮像部１１０から送られてくるデジタル信号を補正処理するなど所定の信号処理を行い、この信号処理を施したデジタル信号（以下、画像データ）を表示部１３０やメディアドライブ１８０に送出する。
【００２１】
表示部１３０は、ＲＧＢデコーダ１３１、ＬＣＤ（Liquid Crystal Display）表示パネル１３２、ＯＳＤ（On Screen Display）コントローラ１３３などを備えており、ＣＰＵ１４０の制御信号に従って、信号処理部１２０から送られてくる画像データをＲＧＢデコーダ１３１で変換してＬＣＤ表示パネル１３２に表示したり、ＯＳＤコントローラ１３３が操作部１６０からの指示に応じてＬＣＤ表示パネル１３２に所定の文字データやグラフィックデータなどを重畳表示する。
【００２２】
ＣＰＵ１４０は、予め格納されているプログラムやデータに従って、装置内の各部を制御するための制御信号を送出したり、装置内で送受信される各種データの演算処理を行う。
【００２３】
また、ＣＰＵ１４０は、画像データなどを管理するために付加する識別子情報、例えば、ＩＤ番号（以下、ＩＤ番号という）を設定したり、信号処理部１２０を制御して撮像部１１０を介して取り込んだ画像データをもとにした縮小画像データ（以下、サムネイル）を生成させ、設定した所定のＩＤ番号を画像データとサムネイルに付加して関連付けを行う。
【００２４】
なお、撮影モードや各種設定値などの設定情報に基づいて、特定の設定情報が設定されているときや特定の操作が実行されたときに取り込む画像データとサムネイルに対しては同一設定である時に取り込んだと判定できるようなＩＤ番号、例えば、同じ番号（以下、同一ＩＤ番号）を付加する。
【００２５】
例えば、連続撮影機能やオートブラケット機能がオン設定のとき、又は、撮影モード情報の中から選択して指定した特定の撮影モード情報（例えば、ポートレートモード、夜景モードなど）が設定されているとき、又は、装置の電源スイッチなど特定のスイッチがオンからオフになるまでの間など、特定の設定情報が設定されているときに取り込んだ画像データとこの画像データをもとに生成されるサムネイルに対して同一ＩＤ番号を付加する。
【００２６】
そして、メディアドライブ１８０を制御して、ＩＤ番号が付加された画像データ及びサムネイルなどのデータを記録メディア１８１に記録させたり、記録メディア１８１に記録してある画像データ及びサムネイルなどのデータを読み出して装置内の所定ブロック（回路）に送出させる。
【００２７】
なお、記録メディア１８１に記録してある画像データやサムネイルを読み出すときは、サムネイルに付加されたＩＤ番号の順序に基づいてサムネイルを読み出し、同一ＩＤ番号が付加されているサムネイルが存在する場合、該当するサムネイルの中から所定の条件（例えば、記録メディアに記録した時間など）に基づいて選択されたサムネイルだけを読み出す。
【００２８】
メモリ部１５０は、ＲＡＭ（Random Access Memory）１５１などのメモリや、ＣＰＵ１４０で生成されたＩＤ番号などを記憶するための不揮発性メモリ、例えば、フラッシュメモリ（flash memory）１５２などから構成され、ＣＰＵ１４０の制御信号に従い、各種データの読み出し／書き込み処理が行われる。
【００２９】
操作部１６０は、操作スイッチ１６２、コントローラ１６１などから構成され、操作スイッチ１６２が操作されると、コントローラ１６１が該当する操作スイッチ１６２に応じた操作信号を装置内の所定ブロック（回路）に送出する。
【００３０】
音声出力部１７０は、音声合成部１７１、アンプ１７２、スピーカ１７３などから構成され、ＣＰＵ１４０の制御信号に従って記録メディア１８１などに記録されている音声データなどを読み出して再生する。
【００３１】
メディアドライブ１８０は、ＣＰＵ１４０の制御信号に従って、セットした記録メディア１８１（例えば、磁気テープ、光ディスク、メモリカードなど）に画像データ、サムネイル、音声データ、動画データなど各種データの書き込み（記録）を行い、又、記録メディア１８１に記録してある各種データを読み出して装置内の所定ブロック（回路）へ送出する。
【００３２】
続いて、図１に示した撮像装置よって、撮影した画像データを記録メディアに記録するときの動作について図２のフローチャートを参照しながら説明する。
【００３３】
まず、特定の設定情報、例えば、連続撮影モード（連続撮影機能やオートブラケット機能などがオン）が設定されており、同一ＩＤ番号を付加するときの動作について説明する。
【００３４】
撮影を開始するとき、ＣＰＵ１４０は、撮影モードや各種設定値などの設定情報を確認し、装置を所定の状態「連続撮影モード」に設定する。そして、メモリ部１５０のフラッシュメモリ１５１に記録されているＩＤ番号に基づいて、これから撮影する画像データに付加するための所定のＩＤ番号を設定（又は初期設定）する（ＳＴ１０１）。
【００３５】
続いて、装置は画像撮影可能な状態となり、ユーザ操作によってシャッターボタンが操作されると、ＣＰＵ１４０の制御信号に従い、撮像部１１０を介して送られてくる画像（光の信号）が信号処理部１２０で処理され、画像データとして取り込まれる（ＳＴ１０２）。
【００３６】
次に、信号処理部１２０は、取り込んだ画像データをもとにサムネイルを生成し、ＣＰＵ１４０は、取り込んだ画像データと生成されたサムネイルに対して所定のＩＤ番号を付加する（ＳＴ１０３）。
【００３７】
続いて、ＣＰＵ１４０は、メディアドライブ１８０を制御し、ＩＤ番号を付加した画像データ及びサムネイルをメディアドライブ１８０にセットしてある記録メディア１８１に記録させる（ＳＴ１０４）。
【００３８】
次に、ＣＰＵ１４０は、設定情報に基づいてＩＤ番号を更新するか否かを判定する（ＳＴ１０５）。
【００３９】
ここでは、設定情報として連続撮影モードが設定されているので、連続撮影する回数によってＩＤ番号の更新を判定する。
【００４０】
ＩＤ番号を更新しない場合、ここでは、所定の撮影回数に満たない場合、ＩＤ番号を更新せず、次の画像を撮影するための動作（連続撮影）に移行する（ＳＴ１０５→ＳＴ１０２）。
【００４１】
そして、ＩＤ番号を更新する条件となるまでの間（所定の撮影回数となるまでの間）、上述したステップＳＴ１０２〜ＳＴ１０５の処理を繰り返し、撮影した画像データとこの画像データをもとにして生成されるサムネイルに対して同一のＩＤ番号が付加され、記録メディア１８１に記録される。
【００４２】
ＩＤ番号を更新する条件になると、ここでは、所定回数の連続撮影が終了すると、ＣＰＵ１４０は、次に撮影する画像データ及びそのサムネイルに付加する新たなＩＤ番号を生成してメモリ部１５０のフラッシュメモリ１５２などに記憶させる（ＳＴ１０５→ＳＴ１０６）。
【００４３】
次に、ＣＰＵ１４０は、画像撮影を終了するか否かの判定状態となる（ＳＴ１０７）。
【００４４】
画像撮影を継続する場合、上述したステップＳＴ１０１の処理へ戻り、新たな画像撮影の処理が開始される（ＳＴ１０７→Ｔ１０１→・・・）。
【００４５】
画像撮影を終了する場合、一連の画像撮影処理が終了となる（ＳＴ１０７→終了）。
【００４６】
一方、特定の設定情報が設定されていない場合、例えば、例えば、１回のシャッターボタン操作で１枚の画像を撮影する通常の撮影モード（以下、通常モード）である場合について説明する。
【００４７】
撮影を開始するとき、ＣＰＵ１４０は、撮影モードや各種設定値などの設定情報を確認し、装置を所定の状態「通常モード」に設定する。そして、メモリ部１５０のフラッシュメモリ１５１に記録されているＩＤ番号に基づいて、これから撮影する画像データに付加するための所定のＩＤ番号を設定（又は初期設定）する（ＳＴ１０１）。
【００４８】
続いて、装置は画像撮影可能な状態となり、ユーザ操作によってシャッターボタンが操作されると、ＣＰＵ１４０の制御信号に従い、撮像部１１０を介して送られてくる画像（光の信号）が信号処理部１２０で処理され、画像データとして取り込まれる（ＳＴ１０２）。
【００４９】
次に、信号処理部１２０は、取り込んだ画像データをもとにサムネイルを生成し、ＣＰＵ１４０は、取り込んだ画像データと生成されたサムネイルに対して所定のＩＤ番号を付加する（ＳＴ１０３）。
【００５０】
続いて、ＣＰＵ１４０は、メディアドライブ１８０を制御し、ＩＤ番号を付加した画像データ及びサムネイルをメディアドライブ１８０にセットしてある記録メディア１８１に記録させる（ＳＴ１０４）。
【００５１】
次に、ＣＰＵ１４０は、設定情報に基づいてＩＤ番号を更新するか否かを判定する（ＳＴ１０５）。
【００５２】
ここでは、設定情報として通常モードが設定されており、同一ＩＤ番号を付加する必要がないので、次に撮影する画像データ及びそのサムネイルに付加する新たなＩＤ番号を生成してメモリ部１５０のフラッシュメモリなどに記憶させる（ＳＴ１０５→ＳＴ１０６）。
【００５３】
次に、ＣＰＵ１４０は、画像撮影を終了するか否かの判定状態となる（ＳＴ１０７）。
【００５４】
画像撮影を継続する場合、上述したステップＳＴ１０１の処理へ戻り、新たな画像撮影の処理が開始される（ＳＴ１０７→Ｔ１０１→・・・）。
【００５５】
画像撮影を終了する場合、一連の画像撮影処理が終了となる（ＳＴ１０７→終了）。
【００５６】
次に、図２のフローチャートに基づいて記録される画像データ及びサムネイルについて説明する。
【００５７】
従来の撮像装置では、撮影日時やファイル名など所定の順序に基づいて記録・管理される。例えば、図３に示すように、「１」〜「４５」番という通し番号で画像データ及びサムネイルが記録・管理されている。
【００５８】
なお、図３の点線で示されているデータは、連続撮影された画像データ又はサムネイルを示しており、「６」〜「１２」番、「２０」〜「２２」番、「２８」〜「３６」番、「３８」〜「４０」番が連続撮影した画像データ及びサムネイルに該当する。
【００５９】
一方、本発明の撮像装置では、設定情報に基づいて、特定の設定情報が設定されているときや特定の操作が実行されたときに取り込む画像データ及びサムネイルに対して、同一のＩＤ番号が付加されて記録メディアに記録される。
【００６０】
例えば、図４に示すように、通し番号としては「１」〜「２７」までのＩＤ番号が付加されるが、図３の「６」〜「１２」番に該当するデータにはＩＤ番号「６」、図３の「２０」〜「２２」番に該当するデータにはＩＤ番号「１４」、図３の「２８」〜「３６」番に該当するデータにはＩＤ番号「２０」、図３の「３８」〜「４０」番に該当するデータにはＩＤ番号「２２」という同一のＩＤ番号が付加されて記録メディアに記録されることになる。
【００６１】
次に、記録メディアに記録されたデータを縦覧・検索するときの具体的な動作を図５のフローチャートを参照しながら説明する。
【００６２】
操作部１６０の操作スイッチ１６２により縦覧・検索のための所定操作を実行すると、まず、メディアドライブ１８０がＣＰＵ１４０の制御信号に従い、記録メディア１８１に記録されているサムネイルのＩＤ番号を読み出してメモリ部１５０に記憶する（ＳＴ２０１）。
【００６３】
メディアドライブ１８０では、ＣＰＵ１４０の制御信号に従い、メモリ部１５０に記憶したサムネイルのＩＤ番号の順序に基づいて一覧表示可能な所定個数のサムネイルを順次記録メディア１８１から読み出し、信号処理部１２０に送る。
【００６４】
このとき、ＣＰＵ１４０では、サムネイルのＩＤ番号を判別し、他に同一のＩＤ番号が存在しているか否かを判定する（ＳＴ２０２）。
【００６５】
同一ＩＤ番号が存在しているとき、メディアドライブ１８０は、該当する同一ＩＤ番号のサムネイルの中から代表となるサムネイル（以下、代表サムネイル）１つだけを記録メディア１８１から読み出して信号処理部１２０に送る（ＳＴ２０２→ＳＴ２０３）。
【００６６】
例えば、連続撮影した画像データのサムネイルの場合、記録メディアに記録された時間が一番早い画像データのサムネイルを代表サムネイルとして読み出す。
【００６７】
同一ＩＤ番号が存在しないとき、メディアドライブ１８０は、記録メディア１８１から該当するＩＤ番号のサムネイルを読み出して信号処理部１２０に送る（ＳＴ２０２→ＳＴ２０４）。
【００６８】
ＣＰＵ１４０は、サムネイルの読み出しが行われると、記録メディア１８１から所定個数（ＬＣＤ表示パネル１３２に一覧表示可能な個数）の読み出しが完了したか否かを判定する（ＳＴ２０５）。
【００６９】
そして、記録メディア１８１から所定個数のサムネイルを読み出すまでの間、上述したステップＳＴ２０２〜ＳＴ２０５の処理を繰り返し実行する（ＳＴ２０５→ＳＴ２０２→・・・→ＳＴ２０５）。
【００７０】
ＣＰＵ１４０は、所定個数のサムネイルの読み出しが完了すると、信号処理部１２０に制御信号を送り、信号処理部１２０は、読み出したサムネイルを一覧表示可能な状態に配置した一覧画面データを生成して表示部１３０に送る（ＳＴ２０５→ＳＴ２０６）。
【００７１】
このとき、信号処理部１２０では、ＬＣＤ表示パネル１３２に表示したときに一目で視認できるように、代表サムネイルに対して所定のグラフィック処理を施して一覧画面データを生成し、表示部１３０に送る。
【００７２】
表示部１３０では、信号処理部１２０から送られてくる一覧画面データをＲＧＢデコーダ１３１で変換してＬＤＣ表示パネル１３２に送り、サムネイル一覧画面がＬＣＤ表示パネル１３２に表示される（ＳＴ２０６）。
【００７３】
ここで、ユーザ操作によって次のサムネイル一覧画面を表示するための操作が実行されると、上述したステップＳＴ２０１に戻り、再度、ステップＳＴ２０１〜ＳＴ２０６までの処理が実行される（ＳＴ２０７→ＳＴ２０１→・・・）。
【００７４】
一方、次のサムネイル一覧画面を表示しないとき、又は、サムネイル一覧画面を終了するときは、所定の表示終了操作を実行することにより、ＬＣＤ表示パネル１３２のサムネイル一覧画面の表示が終了する（ＳＴ２０７→ＳＴ２０８→終了）。
【００７５】
また、ユーザ操作によってＬＣＤ表示パネル１３２に表示されているサムネイル一覧画面の中から所望のサムネイルを選択して、画像データを表示させることができる（ＳＴ２０７→ＳＴ２０８→ＳＴ２０９）。
【００７６】
ユーザ操作によってサムネイル一覧画面の中からサムネイルが選択されると、ＣＰＵ１４０は、選択されたサムネイルのＩＤ番号と同一のＩＤ番号があるか否かを判定する（ＳＴ２１０）。
【００７７】
同一のＩＤ番号があるサムネイルの場合、即ち、代表サムネイルが選択されている場合、ＣＰＵ１４０は、信号処理部１２０及びメディアドライブ１８０に制御信号を送り、メディアドライブ１８０は、代表サムネイルのＩＤ番号に基づいて記録メディア１８１から画像データを読み出して信号処理部１２０に送り、信号処理部１２０が読み出した画像データに所定の信号処理を施して表示部１３０に送る。
【００７８】
表示部１３０は、信号処理部１２０から送られてくる画面データをＲＧＢデコーダ１３１で変換してＬＤＣ表示パネル１３２に送り、代表サムネイルに対応した画像データがＬＣＤ表示パネル１３２に表示される（ＳＴ２１０→ＳＴ２１１）。
【００７９】
ここで、更に、同一ＩＤ番号が付加された別の画像データがある場合、ユーザ操作によりをこの画像データを表示するか否かを選択する（ＳＴ２１２）。
【００８０】
同一ＩＤ番号が付加された別の画像データを表示する場合、ＣＰＵ１４０は、信号処理部１２０及びメディアドライブ１８０に制御信号を送り、メディアドライブ１８０が、同一ＩＤ番号で別の画像データを記録メディア１８１から読み出して信号処理部１２０に送り、信号処理部１２０で所定の処理が施された同一ＩＤ番号で別の画像データが表示部１３０に送られ、ＬＣＤ表示パネル１３２に表示される（ＳＴ２１２→ＳＴ２１３）。
【００８１】
更に、同一ＩＤ番号で別の画像データがあるときは、ユーザ操作によって上述したステップＳＴ２１２に戻り、ステップＳＴ２１２〜ＳＴ２１５までの処理が実行され、同一ＩＤ番号で別の画像データの表示が繰り返し行われる（ＳＴ２１３→ＳＴ２１５→ＳＴ２１２→・・・）。
【００８２】
なお、同一ＩＤ番号の画像データを読み出す順序は、例えば、画像データが記録メディアに記録された時間（順番）などに基づいて決定される。
【００８３】
また、同一ＩＤ番号で別の画像データがない、又は、表示しないときは、所定の表示終了操作を実行することにより、画像データの表示が終了し、サムネイル選択前に表示していたサムネイル一覧画面が表示される（ＳＴ２１５→ＳＴ２０６→・・・）。
【００８４】
一方、上述したステップＳＴ２１０の処理において、同一のＩＤ番号が存在しない場合、即ち、同一ＩＤ番号のないサムネイルが選択されている場合、ＣＰＵ１４０は、信号処理部１２０及びメディアドライブ１８０に制御信号を送り、メディアドライブ１８０は、該当するサムネイルのＩＤ番号に基づいて記録メディア１８１から画像データを読み出して信号処理部１２０に送り、信号処理部１２０が読み出した画像データに所定の信号処理を施して表示部１３０に送る（ＳＴ２１０→ＳＴ２１４）。
【００８５】
表示部１３０では、表示部１３０では、信号処理部１２０から送られてくる画面データをＲＧＢデコーダ１３１で変換してＬＤＣ表示パネル１３２に送り、該当のサムネイルに対応した画像データがＬＣＤ表示パネル１３２に表示される（ＳＴ２１４）。
【００８６】
そして、所定の表示終了操作を実行すると、画像データの表示が終了し、サムネイル選択前に表示していたサムネイル一覧画面が表示される（ＳＴ２１４→ＳＴ２０６→・・・）。
【００８７】
続いて、図５のフローチャートに基づいて記録メディアに記録してあるデータを縦覧・検索するときのサムネイル一覧画面について説明する。
【００８８】
従来の撮像装置によって記録メディアに記録されているデータの縦覧・検索する場合、例えば、上述した図３のような撮影日時やファイル名など所定の順序に基づいて「１」〜「４５」番という通し番号で画像データ及びサムネイルが記録されている記録メディアのデータを縦覧・検索すると、「１」〜「４５」の順序に従って記録メディアから所定個数（９個分）のサムネイルが読み出される。
【００８９】
記録メディアから読み出された所定個数（９個分）のサムネイルによって構成されるサムネイル一覧画面が生成され、ＬＣＤ表示パネルに表示される（図３（ａ）参照）。そして、画面切り替え操作を行うと、図３（ａ）→（ｂ）→（ｃ）→（ｄ）→（ｅ）の順で画面表示が切り替わり、全データ（サムネイル）の縦覧・検索を行うことができる。
【００９０】
また、図３（ａ）〜（ｅ）の各サムネイル一覧画面において表示されているサムネイルの中から所望のサムネイルを選択すると、選択したサムネイルに対応した画像データが記録メディアから読み出されてＬＣＤ表示パネルに表示される。
【００９１】
例えば、図３の「４４」番の画像データ（サムネイル）を検索する場合、サムネイル一覧画面の切り替え操作を図３（ａ）→（ｂ）→（ｃ）→（ｄ）→（ｅ）の順で４回実行しないと、所望の画像データのサムネイルが表示されないことになる。
【００９２】
一方、本発明の撮像装置では、記録メディアに画像データを記録するとき、設定情報に基づいて、特定の設定情報が設定されているときや特定の操作が実行されたときに取り込む画像データ及びサムネイルに対し、同一のＩＤ番号を付加して記録メディアに記録してあり、この記録メディアに記録してあるデータを縦覧・検索するときは、ＩＤ番号に従って基づいた順序で所定個数のサムネイルを読み出してサムネイル一覧画面を生成し、ＬＣＤ表示パネルに表示する。
【００９３】
このとき、同じＩＤ番号が付加されているサムネイルがあると、例えば、同じＩＤ番号のサムネイルの中から記録した時間が一番早い画像データのサムネイル１つだけを代表サムネイルとして読み出し、この代表サムネイルに関連する画像データがあることが分かるようにグラフィック処理を施してサムネイル一覧画面を生成し、ＬＣＤ表示パネルに表示する。
【００９４】
例えば、上述した図４に示すようなＩＤ番号が付加されて記録してある記録メディアのデータを縦覧・検索する場合、各サムネイルに付加されているＩＤ番「１」〜「２７」に従って、記録メディアから所定個数のサムネイル（９個分）が読み出され、図６（ａ）に示すように、ＬＣＤ表示パネルにＩＤ番号「１」〜「９」のサムネイルで構成されたサムネイル一覧画面が生成・表示される。
【００９５】
このとき、ＩＤ番号「６」は、図３の「６」〜「１２」番のサムネイルのうち、記録された時間が一番早い画像データのサムネイル、図３の「６」番に相当するサムネイルだけを代表サムネイルとして記録メディアから読み出す。
【００９６】
そして、この代表サムネイルには、連続撮影した別の画像データ（図３の「７」〜「１２」番に相当）と関連のあることが視認できるように他のサムネイル（図６（ａ）のＩＤ番号「１」〜「５」及び「７」〜「９」）とは異なった所定のグラフィック処理が施されたサムネイル一覧画面が生成され、ＬＣＤ表示パネルに表示される。
【００９７】
そして、サムネイル一覧画面の切り替え操作を行うと、ＩＤ番号「１」〜「２７」の順に従って読み出された所定個数（９個分）のサムネイルで構成されたサムネイル一覧画面が図６（ａ）→（ｂ）→（ｃ）の順で表示され、全データの縦覧・検索をすることができる。
【００９８】
なお、図６（ａ）のＩＤ番号「６」のサムネイルと同様、図６（ｂ）のＩＤ番号「１４」、図６（ｃ）のＩＤ番号「２０」、「２２」のサムネイルも代表サムネイルが読み出され、所定のグラフィック処理が施されている。
【００９９】
そして、図６の各一覧画面（ａ）〜（ｃ）において表示されているサムネイルの中から所望のサムネイルを選択すると、選択したサムネイルのＩＤ番号に基づき、記録メディアから同じＩＤ番号の画像データを読み出して画面表示する。
【０１００】
例えば、図４（ｅ）のＩＤ番号「２６」のサムネイルは、図３（ｅ）の「４４」番のサムネイルに相当するサムネイルであるが、このＩＤ番号「２６」を検索する場合、図６（ａ）→（ｂ）→（ｃ）の順でサムネイル一覧画面の切り替え操作を２回実行するだけでよい。
【０１０１】
また、例えば、図６（ａ）のＩＤ番号「６」のサムネイルのような代表サムネイルを選択した場合、まず、代表サムネイルに対応した画像データ（図３（ａ）の「６」番のサムネイルに対応した画像データ）が記録メディアから読み出され、画面表示される。
【０１０２】
更に、所定の操作を行うことにより、代表サムネイルと同一ＩＤ番号が付加されている画像データが記録メディアに記録された順番などに従って読み出され、画面表示される。例えば、図３（ａ）における「６」→「７」→「８」→・・・「１２」番の順に従い、所定の操作を行うたびに各画像データが読み出され、画面表示されることになる。
【０１０３】
このように、同一ＩＤ番号が付加されているサムネイルがある場合は、その中から代表となるサムネイル（代表サムネイル）を１つだけ読み出し、この代表サムネイルに所定のグラフィック処理を施して画像表示させることにより、縦覧・検索時の視認性・操作性が向上する。
【図面の簡単な説明】
【０１０４】
【図１】本願発明に係る撮像装置の内部構成を簡略化して示したブロック図である。
【図２】図１の撮像装置によって撮影した画像データ及びサムネイルを記録メディアに記録するときの動作フローチャートである。
【図３】従来の撮像装置によって記録メディアに記録されたサムネイル（画像データ）を簡略化して示した説明図である。
【図４】図１の撮像装置によって記録メディアに記録されたサムネイル（画像データ）を簡略化して示した説明図である。
【図５】図１の撮像装置によって記録メディアに記録された画像データ（サムネイル）の縦覧・検索を行うときの動作フローチャートである。
【図６】図５のフローチャートに基づいて記録された画像データ（サムネイル）の縦覧・検索を行うときのサムネイル一覧画面の表示状態を簡略化して示した説明図である。
【符号の説明】
【０１０５】
１１０；撮像部
１１１；撮像レンズ
１１２；撮像素子
１１３；カメラ部
１２０；信号処理部表示部
１３０；表示部
１３１；ＲＧＢデコーダ
１３２；ＬＣＤ（Liquid Crystal Display）表示パネル
１３３；ＯＳＤ（On Screen Display）コントローラ
１４０；ＣＰＵ（Central Processing Unit）
１５０；メモリ部
１５１；ＲＡＭ（Random Access Memory）
１５２；フラッシュメモリ（flash memory）
１６０；操作部
１６２；操作スイッチ
１６１；コントローラ
１７０；音声出力部
１７１；音声合成部
１７２；アンプ
１７３；スピーカ
１８０；メディアドライブ
１８１；記録メディア
【図１】
2005167469.tif 000003
【図２】
2005167469.tif 000004
【図３】
2005167469.tif 000005
【図４】
2005167469.tif 000006
【図５】
2005167469.tif 000007
【図６】
2005167469.tif 000008